(57)【要約】【課題】本考案は、壁パネルの上方に天板パネルを上下動する作業空間がなくとも壁パネルの上端面に天板パネルを配置して連結できる住空間区画用パネル組立構造を提供する。【解決手段】パネル組立構造１は、立設される壁パネル２と、壁パネル２の上端面２ａに連結され水平配置される天板パネル３とを備える。壁パネル２はその上端面２ａの内部側に埋没した下部係合具４を備え、天板パネル３はその下面３ａの内部側に埋没した上部係合具５を備える。下部係合具４は上端面２ａから出没自在に係合基部４０に保持された可動爪４３を有する。壁パネル２と天板パネル３は、可動爪４３が上端面２ａから没した状態で、上端面２ａに下面３ａを密接させてスライド移動自在である。壁パネル２と天板パネル３が組み立てられた状態において、可動爪４３が壁パネル２の上端面２ａから突出して上部係合具５に係合され、パネル組立構造１により住空間１０が区画される。【選択図】図１
0003210839.tif 000002
【実用新案登録請求の範囲】
【請求項１】
立設される壁パネルと、前記壁パネルと連結可能な水平配置される天板パネルと、を備えて成る住空間区画用パネル組立構造であって、
前記壁パネルは、その上端面よりも内部側に埋没された下部係合具を備え、この下部係合具は、係合基部と、前記上端面から出没自在に前記係合基部に保持された可動爪とを有し、
前記天板パネルは、その下面よりも内部側に埋没されており前記可動爪が係合可能な上部係合具を備え、
前記壁パネルと前記天板パネルとは、前記可動爪が前記壁パネルの上端面から没した状態において前記壁パネルの上端面に前記天板パネルの下面を密接させた状態でスライド移動自在であり、
前記壁パネルの上端面に前記天板パネルの下面を密接させた状態において前記可動爪を前記壁パネルの上端面から突出させ、前記上部係合具に係合させることにより、前記壁パネルと前記天板パネルとを連結する、ことを特徴とする住空間区画用パネル組立構造。
【請求項２】
前記壁パネルおよび前記天板パネルは、既設住宅またはコンテナの内部に配置され、前記壁パネルの上端面の高さは、前記既設住宅またはコンテナの天井の高さよりも前記天板パネルの厚さと所定のクリアランスを含めた高さ分だけ低い、ことを特徴とする請求項１に記載の住空間区画用パネル組立構造。
【請求項３】
既設住宅またはコンテナの内部に水回りユニットが配置され、前記壁パネルおよび前記天板パネルは、前記水回りユニットの外周囲に沿って配置される、ことを特徴とする請求項２に記載の住空間区画用パネル組立構造。
【考案の詳細な説明】
【技術分野】
【０００１】
本考案は、住空間区画用パネル組立構造に関する。
【背景技術】
【０００２】
従来、既存の住居を世帯形態の変化やライフスタイルの多様化に対応できる住空間として再生させるため、パネルと家具を組み合わせることにより、柱や梁を使用しなくとも自立可能とする衛生設備付き多機能家具が提案されている（例えば、特許文献１参照）。この提案によれば、工場で製作したパネルと家具とを現場で組み立てることにより、既存住居の改修を短工期で行えるとされている。
【０００３】
また、釘やねじを用いることなく、２つの金具のうち一方を回転して他方の金具に係合させることにより、２つのパネルを所定の連結面において互いに直角に交わる組み立て状態に保持する組立用金具が知られている（例えば、特許文献２参照）。このような組み立て用の金具は、ノックダウン金具などとも呼ばれ、例えば、工場生産された家具や住居用組立体を分解すなわちノックダウンして搬送し、設置現場において組み立てる場合に活用される。
【先行技術文献】
【特許文献】
【０００４】
【特許文献１】特許第４６９１１９４号公報
【特許文献２】実公昭３５−１１８５１号公報
【考案の概要】
【考案が解決しようとする課題】
【０００５】
しかしながら、特許文献１においては、従来工法による住空間から柱と間仕切り壁を取り除いた広い空間に多機能家具を集約配置して間仕切りのない空間を創出することが述べられているが、例えば、小さい空間を区画して大きく活用することについて記載がない。また、特許文献２に記載の組立用金具は、２つの金具のうち一方の金具が、パネルの組み立て前の状態においてパネルの連結面となる面よりも突出しているので、連結面に直交する方向から２つのパネルを接近させる必要がある。従って、連結面に直交する方向に作業用の空間がない場合には、このような組立用金具によって２つのパネルを連結させて組み立てることができない。
【０００６】
本考案は、上記課題を解消するものであって、壁パネルの上端面の上方に天板パネルを上下動する作業空間がなくても、壁パネルの上端面に天板パネルを配置して住空間を区画することができる住空間区画用パネル組立構造を提供することを目的とする。
【課題を解決するための手段】
【０００７】
上記課題を達成するために、本考案の住空間区画用パネル組立構造は、立設される壁パネルと、壁パネルと連結可能な水平配置される天板パネルと、を備えて成る住空間区画用パネル組立構造であって、壁パネルは、その上端面よりも内部側に埋没された下部係合具を備え、この下部係合具は、係合基部と、上端面から出没自在に係合基部に保持された可動爪とを有し、天板パネルは、その下面よりも内部側に埋没されており可動爪が係合可能な上部係合具を備え、壁パネルと天板パネルとは、可動爪が壁パネルの上端面から没した状態において壁パネルの上端面に天板パネルの下面を密接させた状態でスライド移動自在であり、壁パネルの上端面に天板パネルの下面を密接させた状態において可動爪を壁パネルの上端面から突出させ、上部係合具に係合させることにより、壁パネルと天板パネルとを連結する、ことを特徴とする。
【０００８】
この住空間区画用パネル組立構造において、壁パネルおよび天板パネルは、既設住宅またはコンテナの内部に配置され、壁パネルの上端面の高さは、既設住宅またはコンテナの天井の高さよりも天板パネルの厚さと所定のクリアランスを含めた高さ分だけ低い。
【０００９】
この住空間区画用パネル組立構造において、既設住宅またはコンテナの内部に水回りユニットが配置され、壁パネルおよび天板パネルは、水回りユニットの外周囲に沿って配置される。
【考案の効果】
【００１０】
本考案の住空間区画用パネル組立構造によれば、天板パネルを上下動する作業空間が壁パネルの上方になくとも、壁パネルの上端面に天板パネルをスライド移動して配置し連結して区画することにより、より大きい住空間を実現することができる。
【図面の簡単な説明】
【００１１】
【図１】本考案の一実施形態に係る住空間区画用パネル組立構造の要部分解斜視図。
【図２】同パネル組立構造の天板パネルを壁パネルの上端面の所定位置に配置する手順を説明する要部断面図。
【図３】図２に対応する斜視図。
【図４】図２の天板パネルと壁パネルとを連結した状態の要部断面図。
【図５】同パネル組立構造における下部係合具の可動爪を突出させた斜視図。
【図６】（ａ）は同パネル組立構造の実施例の組み立て途中段階を示す斜視図、（ｂ）は同実施例の組み立て完成後の斜視図。
【図７】（ａ）（ｂ）はそれぞれ図６（ａ）（ｂ）の断面図。
【図８】同パネル組立構造の他の実施例を示す平面断面図。
【図９】図８の要部の天板パネルを透視した平面図。
【考案を実施するための形態】
【００１２】
以下、本考案の一実施形態に係る住空間区画用パネル組立構造について、図面を参照して説明する。図１乃至図５に示すように、住空間区画用パネル組立構造（以下、パネル組立構造）１は、立設される壁パネル２と、壁パネル２の上端面２ａに連結され、水平配置される天板パネル３と、下部係合具４と、上部係合具５と、を備えている。壁パネル２および天板パネル３は、住空間の室内用化粧パネルとして機能するものである。下部係合具４と上部係合具５は、それぞれ壁パネル２と天板パネル３の所定位置に備えられてこれらのパネルを連結する。本実施形態では、各パネル２，３が連結されることにより、区画された住空間１０が、壁パネル２の主面２ｅと天板パネル３の下面３ａとに面した空間として形成される。なお、住空間１０は、ある住空間を区画して成る部分空間としての概念を含み、また、新たに区画して形成される住空間としての概念を含む。
【００１３】
壁パネル２は、厚みを有する矩形平板状のパネルである。壁パネル２は、その上端面２ａの所定位置に、下部係合具４を収納するための凹部２ｂと深溝２ｃとを有している。凹部２ｂは、壁パネル２の主面２ｅつまり住空間１０に向いた面と上端面２ａの成す交線の方向に沿って形成されている。深溝２ｃは、凹部２ｂの中央部を彫り込んで形成されている。深溝２ｃの側面中央には、壁パネル２の主面２ｅに開口する横穴２ｄが形成されている。
【００１４】
天板パネル３は、厚みを有する矩形平板状のパネルである。天板パネル３は、その下面３ａの所定位置に、上部係合具５を収納するための凹部３ｂと、可動爪４３の動作空間となる深溝３ｃとを有している。
【００１５】
下部係合具４は、金属または剛性のある材料で作製され、係合基部４０と、係合基部４０に保持された可動爪４３と、を有している。係合基部４０は、下部係合具４を壁パネル２に固定するための略長方形の鍔部４１と、可動爪４３を収容保持するための円形袋状の収容部４２とを有する。鍔部４１は、その長手方向の両端に、固定ねじ９０を挿通する座繰り貫通孔を有し、その中央部に、収容部４２の内部に連通する開口４１ａを有している。収容部４２は、鍔部４１の下面に接合されて垂下しており、その内部に可動爪４３を収容し、可動爪４３の回転軸４３ａを回動自在に軸支している。回転軸４３ａの端面には、六角レンチ９１を挿入して可動爪４３を回動させて開口４１ａから出没させるための六角穴が形成されている。可動爪４３は、回転軸４３ａの回転によって開口４１ａからの出没の動作がなされる（図５参照）。
【００１６】
下部係合具４は、係合基部４０を壁パネル２の凹部２ｂと深溝２ｃに納められ、固定ねじ９０によって壁パネル２に固定されて、上端面２ａよりも内部側に埋没した状態となる（図２参照）。可動爪４３は、上端面２ａから出没自在に係合基部４０に保持され、収容部４２の内部に没した状態では、開口４１ａよりも内部に収納される。壁パネル２の横穴２ｄは、壁パネル２に固定された下部係合具４の可動爪４３を回転操作する際に六角レンチ９１を挿入する作業孔である。可動爪４３は、壁パネル２と天板パネル３とが区画して成す住空間１０側から操作されて出没の動作がなされる構造となっている。横穴２ｄは、使用されないときは化粧栓９２によって塞がれる。
【００１７】
上部係合具５は、略長方形の金属板５１で形成され、その長手方向の両端に、固定ねじ９０を挿通する座繰り貫通孔を有し、その中央部に、可動爪４３が係合される係合部５２を有する。係合部５２は、金属板５１の長手方向に並列して形成された２つの開口５１ａによって挟まれた部分である。開口５１ａは、係合部５２に係合する可動爪４３の先端爪部すなわち係合爪４３ｂ（図２）が回転移動する通路となる。上部係合具５は、金属板５１を天板パネル３の凹部３ｂに納められて固定ねじ９０によって天板パネル３に固定され、下面３ａよりも内部側に埋没した状態となる（図２参照）。
【００１８】
次に、パネル組立構造１を施工現場で組み立てる手順を説明する。壁パネル２および天板パネル３は、予め工場において下部係合具４および上部係合具５がそれぞれ所定の位置に収納、組み付けられて生産され、それらが施工現場に運ばれ、現場で組み立てられる。図２、図３に示すように、壁パネル２は、その上端面２ａよりも内部側に下部係合具４を埋没させた状態で所定位置に立設される。また、天板パネル３は、その下面３ａよりも内部側に上部係合具５を埋没させた状態で壁パネル２の上端面２ａの高さ位置に配置される。立設された壁パネル２の上端面２ａに天板パネル３の下面３ａを密接させた状態で天板パネル３を所定位置までスライド移動させる。
【００１９】
天板パネル３が壁パネル２の上端面２ａの所定位置にある状態で、図４、図５に示すように、可動爪４３を六角レンチ９１により回転させる。可動爪４３の回転により、係合爪４３ｂは、壁パネル２の上端面２ａから突出して上部係合具５の係合部５２の上方に回り込み、係合部５２に係合され、壁パネル２と天板パネル３が連結される。
【００２０】
下部係合具４と上部係合具５の係合は、係合爪４３ｂが係合部５２を羽交い締めにする構造であり、可動爪４３の回転に応じて強化される。可動爪４３の回転に応じて、より大きな操作力が加えられ、同時に、係合は強化される。係合爪４３ｂと係合部５２との機械的摩擦により、係合状態が保持されて緩まなくなり、壁パネル２と天板パネル３の密着度が高まり、耐震強度も大きくなる。
【００２１】
このようにして、予め工場にて生産された壁パネル２と天板パネル３が施工現場に運ばれ、現場で組み立てられるので、現場での工期を短縮でき、また、高品質を保つことができる。しかも、立設させた壁パネル２に対して天板パネル３をスライド移動させてそれらの組み付けを完成することができるので、立設した壁パネル２の上方に作業空間がなくとも容易に作業を行うことができる。また、これら壁パネル２と天板パネル３により区画される住空間区画は、限度いっぱいに広く取ることができる。
【００２２】
次に、図６、図７を参照して、パネル組立構造１の実施例を説明する。図６（ａ）に示すように、パネル組立構造１は、コンテナ７の内部に、１つの区画された住空間１０を形成するために用いられる。コンテナ７は、例えば海上貨物輸送用のコンテナや列車貨物輸送用のコンテナである。コンテナ７は、両側壁７１と、天井７２と、床７３と、奥壁や扉などを有し、略直方体の内部空間を構成する。コンテナ７の内部に住空間１０を形成するために、側壁７１の内側には適宜数の壁パネル２が立設され、床７３には適宜の床パネル６が敷設され、天井７２の内面側には天板パネル３が設置される。
【００２３】
壁パネル２は、それぞれ上端面２ａよりも内部側に埋没した下部係合具４を備えている。天板パネル３は、その下面よりも内部側に埋没した上部係合具５を備えている。天板パネル３は、コンテナ７の天井下面７２ａと、壁パネル２の上端面２ａとの隙間に、両側の壁パネル２の上部を橋渡しする態様で挿入される。天板パネル３の挿入は、壁パネル２の上端面２ａに天板パネル３の下面３ａを密接させた状態でスライド移動して行われる。図６（ｂ）に示すように、コンテナ７には、必要数の天板パネル３が順次挿入され、下部係合具４と上部係合具５とによって、天板パネル３が壁パネル２に連結され固定される。
【００２４】
図７（ａ）（ｂ）に示すように、パネル組立構造１によって、コンテナ７の内部に住空間１０が形成される。パネル組立構造１において、壁パネル２および天板パネル３は、コンテナ７の内部に配置され、壁パネル２の上端面の高さＨは、コンテナ７の天井の高さＬよりも天板パネル３の厚さｔと所定のクリアランスｘを含めた高さΔＨ分だけ低い。高さＨは、コンテナ７の天井下面７２ａと壁パネル２の上端面２ａとの隙間の高さである。この隙間は、天板パネル３の厚さｔに壁パネル２の上端面２ａからの可動爪４３の突出高さを加えた量よりも小さくすることができる。クリアランスｘは、可動爪４３が上端面２ａから突出していると天板パネル３の移動ができないような最小の寸法とすることができる。パネル組立構造１によると、壁パネル２の上方に天板パネル３を上下動する作業空間がなくとも、壁パネル２の上端面２ａに天板パネル３を配置して固定することができる。これは、可動爪４３を、壁パネル２の上端面２ａから後退させ、壁パネル２の内部側に埋没させることにより、天板パネル３を上端面２ａに沿ってスライド移動できることによる。
【００２５】
パネル組立構造１は、上記の例に限られず、コンテナ７の内部に、複数の区画された住空間１０を形成することができる。また、パネル組立構造１は、コンテナ７に限られず既設住宅の内部に住空間１０を形成する場合に適用することができる。パネル組立構造１は、例えば、ＲＣ造やＳＲＣ造の中古ワンルームマンションや木造住宅などの内部空間に、上下方向の空間を最大限に有効利用してリニューアルする際に、好適に用いられる。例えば、既設の内部空間の壁面や天井面に、壁紙などを張ることに変えて、パネル組立構造１を構成する壁パネル２や天板パネル３を設置することができる。
【００２６】
壁パネル２と天板パネル３は、工場生産された建築用のパネルである。これらのパネルには、所定の位置に、下部係合具４や上部係合具５が工場内で取り付けられている。下部係合具４は、壁パネル２の上端面２ａの任意位置に、任意個数を取り付けるようにすることができる。
【００２７】
壁パネル２は、コンテナや既設住宅の壁面に密接または近接して立設することに限られず、それらの壁面から通路などの空間を介在させて立設してもよい。また、天板パネル３における、壁パネル２に連結される位置は、天板パネル３の下面３ａの辺縁部に限られず、下面３ａ内の任意位置とすることができる。また、壁パネル２に対して天板パネル３をスライド移動させる方向は、壁パネル２の主面に沿った方向に限られず、主面に交差する方向からスライド移動させてもよい。これは、例えば、マンションなどの広い室内空間内の中央部に、パネル組立構造１を設置する場合に、このようなスライド移動が行われる。
【００２８】
次に、図８、図９を参照して、パネル組立構造１の他の実施例を説明する。パネル組立構造１は、既設住宅８の矩形の住空間１０内に設定された間取位置８０に集中的に形成されている。このパネル組立構造１は、水回りユニットＡ，Ｂ，Ｃ，Ｄの外周囲に沿って壁パネル２および天板パネル３（３１，３２，３３，３４）を配置して成る。ユニットＥは、壁パネル２および天板パネル３によって形成された家具、例えば収納棚である。住空間１０は、パネル組立構造１によって形成された生活のコアとなる空間と、それ以外のフリーの空間とに区画されている。
【００２９】
ユニットＡは風呂、ユニットＢはトイレ、ユニットＣは洗面、洗濯および脱衣、ユニットＤはキッチンの用途のユニットである。これらのユニットは、いずれも水の使用に関わり、日常生活にコアとなる、つまり必須の設備である。ユニットＡの風呂は、ユニットバスであり、それ自身で６面を囲まれた１個の空間を形成している。ユニットＡは壁パネル２によって３面を囲まれているが、天板パネル３は用いられていない。
【００３０】
ユニットＢ，Ｃ，Ｅの各々は、大略３面を壁パネル２によって囲まれ、壁パネル２の上端面に配置されている下部係合具４を用いて、天板パネル３１，３２，３３，３４によって、空間上部が覆われている。ユニットＢ，Ｃ，Ｅの一部の壁パネル２は、ユニットＡを囲む壁パネル２として用いられている。ユニットＡは、天板パネル３を上部に連結した壁パネル２によって３面を囲まれており、また、それ自身で天井構造を有しているので、天板パネル３は用いられていない。
【００３１】
上述のように、本実施形態のパネル組立構造１によれば、壁パネル２と天板パネル３によって区画された、より大きく空間を活用できる住空間１０を形成できる。また、パネル組立構造１の壁パネル２と天板パネル３は、下部係合具４と上部係合具５の係合によって組み立てられるので、係合を解除することによってパネル組立構造１を容易に分解することができる。つまり、下部係合具４と上部係合具５は、組立分解自在のノックダウン金具として用いることができる。従って、壁パネル２と天板パネル３は、工場で生産し、工場から直接運ばれたパネルを、そのまま現場で組み立てるノックダウン方式によって、パネル組立構造１とすることができ、短期施工と全体工期短縮を実現できる。現場での工期の短縮は、全体的なコスト軽減を実現できる。壁パネル２と天板パネル３は、工場生産によって高品質を保つことができ、高品質、付加価値のパネル組立構造１を実現できる。
【００３２】
パネル組立構造１は、ノックダウン方式で組み立てられるので、住空間を構成する自由度が大きく、ユーザが住空間を自分流にアレンジでき、自分らしさを生かした個性的な自慢のできる住空間を演出でき、新しいライフスタイルを創造できる。パネル組立構造１は、生活に必須の水回りユニットを中心に据えてコアを形成し、その外周囲に沿って壁パネル２と天板パネル３を配置して形成できる。従って、パネル組立構造１によれば、水回りユニットの配置を自由にフリーに決定して固定した上で、行動範囲が合理的となる部屋を構成でき、水まわりに機能的な家事動線を形成でき、フリーコアの構造を実現できる。壁パネル２と天板パネル３は、工場生産時に、表面仕上素材を選ぶことができ、家具仕様において表面素材や仕上を選択することができる。また、水回りユニットは、床、壁、天井などの構造材とは別に、水まわり設備のそれぞれを一体化したものを用いることができる。このような水回りユニットにパネル組立構造１を組み合わせることにより、住空間に豊かさを創造でき、リノベーションや新築のレイアウト、設計に適用でき、工期を短縮することができる。
【００３３】
なお、本考案は、上記構成に限られることなく種々の変形が可能である。例えば、上述した実施形態や実施例の構成を互いに組み合わせた構成とすることができる。下部係合具４と上部係合具５は、上記構成のものに限られることなく種々の係合具を用いることができる。壁パネル２は、その上端面２ａにレール溝を設けて、レール溝内の任意の位置に下部係合具４を取付可能とすることができ、これにより、下部係合具４の位置を変更する設計変更に臨機に対応できる。壁パネル２は、その壁面に他の部材を取り付けて棚、収納庫、鏡台や鏡設置壁、などの家具を構成したものであってもよい。
【００３４】
また、本実施形態における天板パネル３は、立設される壁パネルであっても構わない。すなわち、この場合、パネル組立構造は、立設される複数の壁パネル同士が連結されて住空間を区画するものとなり、コンテナや既設住宅の躯体に対して最大限の住空間を区画形成することができる。この場合、請求項に言う水平配置される天板パネルは、立設される壁パネルとなり、そのようなものも請求項の技術的範囲に含まれる。
【符号の説明】
【００３５】
１    パネル組立構造（住空間区画用パネル組立構造）
１０    住空間
２    壁パネル
２ａ    壁パネルの上端面
３，３１，３２，３３，３４    天板パネル
３ａ    天板パネルの下面
４    下部係合具
４０    係合基部
４３    可動爪
５    上部係合具
７    コンテナ
８    既設住宅
Ａ，Ｂ，Ｃ，Ｄ    水回りユニット
Ｈ    壁パネルの上端面の高さ
Ｌ    天井の高さ
ｔ    天板パネルの厚さ
ｘ    所定のクリアランス
【図１】
0003210839.tif 000003
【図２】
0003210839.tif 000004
【図３】
0003210839.tif 000005
【図４】
0003210839.tif 000006
【図５】
0003210839.tif 000007
【図６】
0003210839.tif 000008
【図７】
0003210839.tif 000009
【図８】
0003210839.tif 000010
【図９】
0003210839.tif 000011